(57)【特許請求の範囲】
【請求項１】
炭酸ガスを人体の腰部及び両下肢を包む下半身、腹部及び両上肢を含む上半身、片足を包む片下肢又は片手を包む片上肢の皮膚に接触させることにより、血管を拡張させ血液循環を改善させるための装置であって、
炭酸ガスを水蒸気に含ませた状態で供給する炭酸ガス供給手段と、
圧縮空気供給手段と、
前記炭酸ガス供給手段から供給される炭酸ガスと水蒸気の混合ガスを人体の前記皮膚に直接接触させる前記混合ガスの密閉層を形成する第一の被覆ウェアと、
前記第一の被覆ウェアの外側に形成され、前記圧縮空気供給手段から供給される圧縮空気が充填される圧縮空気の密閉層を形成するための第二の被覆ウェアと、から構成され、
前記圧縮空気の密閉性が前記第一の被覆ウェアを押圧することにより前記第一の被覆ウェア内の前記混合ガスを人体の前記皮膚に押圧した状態で接触させ、
前記圧縮空気供給手段は、前記圧縮空気を常時加圧又はインターバル加圧することを特徴とする炭酸ガス圧浴装置。
【請求項２】
炭酸ガスを動物の四肢又は胴体の皮膚に接触させることにより、血管を拡張させ血液循環を改善させるための装置であって、
炭酸ガスを水蒸気に含ませた状態で供給する炭酸ガス供給手段と、
圧縮空気供給手段と、
前記炭酸ガス供給手段から供給される炭酸ガスと水蒸気の混合ガスを人体の前記皮膚に直接接触させる前記混合ガスの密閉層を形成する第一の被覆ウェアと、
前記第一の被覆ウェアの外側に形成され、前記圧縮空気供給手段から供給される圧縮空気が充填される圧縮空気の密閉層を形成するための第二の被覆ウェアと、から構成され、
前記圧縮空気の密閉性が前記第一の被覆ウェアを押圧することにより前記第一の被覆ウェア内の前記混合ガスを人体の前記皮膚に押圧した状態で接触させ、
前記圧縮空気供給手段は、前記圧縮空気を常時加圧又はインターバル加圧することを特徴とする炭酸ガス圧浴装置。
【請求項３】
前記炭酸ガス供給装置は、炭酸ガスを封入した炭酸ガスボンベが挿入される炭酸ガス挿入部と、水を受け入れる貯水部と、を備え、炭酸ガスボンベ内の炭酸ガスを微粒サイズの気泡状にして前記貯水部内に放出させることにより、前記炭酸ガスと水蒸気の混合ガスを得ることを特徴とする請求項１または２に記載の炭酸ガス圧浴装置。
【請求項４】
前記炭酸ガス供給装置内における水の温度は、摂氏４０乃至７０度であることを特徴とする請求項３に記載の炭酸ガス圧浴装置。
【請求項５】
前記水に、ビタミンＥ、ビタミンＣ、光触媒とアパタイト、シクロデキストリンの複合体のうちの何れか一つまたは複数を含有させることを特徴とする請求項３または４に記載の炭酸ガス圧浴装置。
【請求項６】
前記圧縮空気供給手段は、ヒータ手段を備え、ヒータ手段のオン／オフにより温風空気または冷風空気を供給することを特徴とする請求項１または２に記載の炭酸ガス圧浴装置。
【請求項７】
前記圧縮空気供給手段から供給される空気圧は、１．２乃至２．５気圧であることを特徴とする請求項６に記載の炭酸ガス圧浴装置。
【請求項８】
前記圧縮空気供給手段は、圧縮空気ボンベを備えることを特徴とする請求項７に記載の炭酸ガス圧浴装置。
【請求項９】
前記圧縮空気供給手段は、電気駆動されるコンプレッサを備えることを特徴とする請求項７に記載の炭酸ガス圧浴装置。
【請求項１０】
前記第一の被覆ウェア及び前記第二の被覆ウェアは、人体の腰部及び両下肢を包む下半身用の被覆ウェアであることを特徴とする請求項１に記載の炭酸ガス圧浴装置。
【請求項１１】
前記第一の被覆ウェア及び前記第二の被覆ウェアは、人体の腹部及び両上肢を含む上半身用の被覆ウェアであることを特徴とする請求項１に記載の炭酸ガス圧浴装置。
【請求項１２】
前記第一の被覆ウェア及び前記第二の被覆ウェアは、人体の片足を包む片下肢用の被覆ウェアであることを特徴とする請求項１に記載の炭酸ガス圧浴装置。
【請求項１３】
前記第一の被覆ウェア及び前記第二の被覆ウェアは、人体の片手を包む片上肢用の被覆ウェアであることを特徴とする請求項１に記載の炭酸ガス圧浴装置。
【請求項１４】
前記第一の被覆ウェア及び前記第二の被覆ウェアは、ポリエチレン、ポリプロピレン、ポリ塩化ビニリデン、ポリスチレン、ポリ酢酸ビニル、ポリ塩化ビニル、ナイロン、またはポリテトラフルオロエチレン、織布または不織布の中の何れか一つまたは複数の組み合わせにより形成されていることを特徴とする請求項１０乃至１３の何れか一項に記載の炭酸ガス圧浴装置。
【請求項１５】
前記第一の被覆ウェア及び前記第二の被覆ウェアは、その開口部に紐または面ファスナーの締め付け手段が取り付けられており、これにより、炭酸ガスと水蒸気の混合ガス及び圧縮空気の大気中への放散を防止するようにした請求項１４に記載の炭酸ガス圧浴装置。
【請求項１６】
前記第一の被覆ウェア及び前記第二の被覆ウェアに設けられた、前記炭酸ガス供給手段からの混合ガスと前記圧縮空気供給手段からの圧縮空気を受け入れるための各接続器は、タップが形成された捻じ込み式の接続器または嵌め込み式の接続器であることを特徴とする請求項１５に記載の炭酸ガス圧浴装置。
【発明の詳細な説明】
【技術分野】
【０００１】
本発明は、炭酸ガスを生体の皮膚に直接に接触させることにより血管を拡張させ血液循環を改善させるための炭酸ガス圧浴装置に関するものであり、特に、炭酸ガスを圧縮空気により所定の圧力値以上で生体の皮膚に接触させることにより皮膚からの炭酸ガスの吸収効率を向上させた炭酸ガス圧浴装置に関する。
【背景技術】
【０００２】
従来から、炭酸ガス（二酸化炭素；ＣＯ２）が生体の皮膚から吸収されると、血管を拡張させることが知られている。炭酸ガスは、単に皮膚に触れるだけで皮下に浸透し、その浸透部位の血管を拡張させ血液循環を改善させるため、血圧を降下させる、心臓の負担を軽減させる、代謝を改善する、疼痛物質や老廃物の排除を促す等の種々の生理的効果を発揮する。
【０００３】
このため、従来から高血圧や心臓病、動脈硬化の治療等に炭酸泉浴等が利用されており、また近年では、医療目的のみならず、血行促進効果による健康増進、美容促進といった点からも炭酸ガスは広く注目を集めている。
【０００４】
炭酸ガスを人体に吸収させるための従来技術の例として最も広く利用されているのは、浴槽内の湯中に投入されることにより炭酸ガスを発生する入浴剤である。入浴剤を湯中に入れると、入浴剤の中に閉じ込められていた炭酸ガスが泡状になって湯中において発生し、その一部が湯の中に溶け込んで入浴する人の皮膚に接触することで炭酸ガスを皮膚から体内に浸透させ上記したような生理的効果を発揮させようとするものである。
【０００５】
さらに、炭酸ガスをより多く人体に接触させる従来技術として、炭酸ガス入浴装置が知られている（例えば、特許文献１、特許文献２及び特許文献３）。
【０００６】
この種の装置は、水中に炭酸ガスを高濃度に溶け込ませるための装置であり、特許文献１には、炭酸ガス入浴剤溶解部２と微小孔４を有する炭酸ガス拡散装置１と、から構成され、溶解部２と拡散装置１間に設置された微小孔３および拡散装置部に設けられた微小孔４の両者にて、炭酸ガスの泡は微少になり、炭酸ガスが浴槽水と接する面積が格段に拡大し、かつ接する時間が長くなり、さらには入浴剤の周囲の泡による浮き上がりを防止し、最後まで入浴剤に浴槽水内において炭酸ガスを放散させ続けさせる入浴剤用炭酸ガス拡散装置が開示されている。
【０００７】
また、引用文献２及び引用文献３には、浴槽に炭酸ガス発生装置を接続し、炭酸ガス発生装置から供給される多量の炭酸ガスを浴槽内の浴槽水に積極的に溶け込ませるように細かい気泡状に噴出させる浴槽用マイクロバブル発生装置および炭酸ガス併用シャワー入浴装置が記載されている。
【０００８】
なお、本発明者により、炭酸ガスを水蒸気に含ませた状態で供給する炭酸ガス供給手段と、圧縮空気供給手段と、前記炭酸ガス供給手段と前記圧縮空気供給手段とに接続器を介して接続され、前記炭酸ガス供給手段から供給される炭酸ガスと水蒸気の混合ガスを人体の皮膚に直接接触させると共に、前記圧縮空気供給手段から供給される圧縮空気を封止する密閉層を形成する２層構造の被覆ウェアと、から構成され、炭酸ガスを前記圧縮空気により所定の圧力値以上で人体の皮膚に接触させることを特徴とする炭酸ガス圧浴装置（特許文献４）がこれまでに提案されている。
【特許文献１】特開２００６−２０９８５号公報
【特許文献２】特開２００７−１５９９０２号公報
【特許文献３】特開２００５−１６８８５９号公報
【特許文献４】特願２００７−１７９３６８号
【発明の開示】
【発明が解決しようとする課題】
【０００９】
しかし、上記特許文献１乃至特許文献３に記載された公知技術は、何れも入浴時において浴槽水の中に炭酸ガスを溶け込ませて人体の皮膚から炭酸ガスを吸収させようとするものであって、多量の炭酸ガスを消費する割には、皮膚からの炭酸ガスの吸収率は決して高くないという問題があった。また、その利用は、入浴時に限定されていた。
【００１０】
一方、本発明者により提案された特許文献４の炭酸ガス圧浴装置は、所定の圧力値以上で水蒸気に含まれた炭酸ガスを皮膚に接触させることにより、炭酸ガスを効率よく皮膚から吸収させることができるが、被覆ウェアを２層としたことによりその構造が非常に複雑となっていた。そのため、被覆ウェアの製造工程も複雑化し、それに伴って製造コストも増加するという問題があった。
【００１１】
本発明は、上記従来の問題点に鑑みてなされたものであり、少量の炭酸ガスでも効率的に生体の皮膚から吸収させることが可能であると共に、構造を単純化することにより製造工程の簡素化と製造コストの削減を図ることができる炭酸ガス圧浴装置を提供することを目的とする。
【課題を解決するための手段】
【００１２】
このため、本発明は、炭酸ガスを人体の腰部及び両下肢を包む下半身、腹部及び両上肢を含む上半身、片足を包む片下肢又は片手を包む片上肢の皮膚に接触させることにより、血管を拡張させ血液循環を改善させるための装置であって、炭酸ガスを水蒸気に含ませた状態で供給する炭酸ガス供給手段と、圧縮空気供給手段と、前記炭酸ガス供給手段から供給される炭酸ガスと水蒸気の混合ガスを人体の前記皮膚に直接接触させる前記混合ガスの密閉層を形成する第一の被覆ウェアと、前記第一の被覆ウェアの外側に形成され、前記圧縮空気供給手段から供給される圧縮空気が充填される圧縮空気の密閉層を形成するための第二の被覆ウェアと、から構成され、前記圧縮空気の密閉性が前記第一の被覆ウェアを押圧することにより前記第一の被覆ウェア内の前記混合ガスを人体の前記皮膚に押圧した状態で接触させ、前記圧縮空気供給手段は、前記圧縮空気を常時加圧又はインターバル加圧することを特徴とする炭酸ガス圧浴装置を提供するものである。
【００１３】
また、本発明は、炭酸ガスを動物の四肢又は胴体の皮膚に接触させることにより、血管を拡張させ血液循環を改善させるための装置であって、炭酸ガスを水蒸気に含ませた状態で供給する炭酸ガス供給手段と、圧縮空気供給手段と、前記炭酸ガス供給手段から供給される炭酸ガスと水蒸気の混合ガスを人体の前記皮膚に直接接触させる前記混合ガスの密閉層を形成する第一の被覆ウェアと、前記第一の被覆ウェアの外側に形成され、前記圧縮空気供給手段から供給される圧縮空気が充填される圧縮空気の密閉層を形成するための第二の被覆ウェアと、から構成され、前記圧縮空気の密閉性が前記第一の被覆ウェアを押圧することにより前記第一の被覆ウェア内の前記混合ガスを人体の前記皮膚に押圧した状態で接触させ、前記圧縮空気供給手段は、前記圧縮空気を常時加圧又はインターバル加圧することを特徴とする炭酸ガス圧浴装置を提供するものである。
【００１４】
このように、本炭酸ガス圧浴装置においては、第二の被覆ウェアにおいて形成された圧縮空気層が、第一の被覆ウェアにおいて形成された炭酸ガスと水蒸気の混合ガス層において直接人体または動物の皮膚に接する炭酸ガスと水蒸気の混合ガスを、一定の圧力で皮膚に押圧するので、炭酸ガスの皮膚からの浸透性を著しく向上させているのである。また、炭酸ガスと水蒸気の混合ガスそのものの圧力を高める必要がないので、大量の炭酸ガスを必要とせず、炭酸ガスを効率的に使用できる。さらに、第一の被覆ウェアと第二の被覆ウェアが別個に形成されているため、その製造工程の簡素化と製造コストの削減を図ることができる。
【００１５】
また、本発明の炭酸ガス圧浴装置は、人体のみならず、動物（例えば、競走馬やペット等）にも適用可能である。
【００１６】
ここで、前記圧縮空気供給手段は、前記圧縮空気により常時加圧を行っても良いが、前記圧縮空気を所定時間間隔毎に加圧減圧を繰り返すインターバル加圧を行うようにしても良い。常時加圧により炭酸ガスの皮膚からの浸透性を高めることができるのは言うまでもないが、インターバル状に加圧すればさらにその浸透性を向上させることができる。
【００１７】
ところで、本炭酸ガス圧浴装置において使用する炭酸ガス供給装置は、炭酸ガスを封入した炭酸ガスボンベが挿入される炭酸ガス挿入部と、水を受け入れる貯水部と、を備え、炭酸ガスボンベ内の炭酸ガスを微粒サイズの気泡状にして前記貯水部内に放出させることにより、前記炭酸ガスと水蒸気の混合ガスを得るのである。
【００１８】
そして、前記炭酸ガス供給装置内における水の温度は、摂氏４０乃至７０度とすることにより、入浴と同様に皮膚を温めてそれ自体で血行を良好にさせることを可能にしているのである。また、この水にビタミンＥ、ビタミンＣ、光触媒とアパタイト、シクロデキストリンの複合体のうちの何れか一つまたは複数を含有させれば、血行促進や殺菌等、特有の効果をさらに付加することができる。
【００１９】
そして、前記圧縮空気供給手段は、ヒータ手段を備え、ヒータ手段のオン／オフにより温風空気または冷風空気を供給することも可能にしたのである。
【００２０】
そして、前記圧縮空気供給手段から供給される空気圧は、１．２乃至２．５気圧とする。これにより、圧縮空気による皮膚に対する圧力マッサージ効果をも発揮させることができる。
【００２１】
このため、前記圧縮空気供給手段は、（１）圧縮空気ボンベ、（２）電気駆動されるコンプレッサ、または（３）手動の袋状の空気圧器（例えば、血圧計に用いられる手動の空気袋または浮き袋に空気を入れる足踏みタイプの空気圧器）を用いる。
【００２２】
ところで、前記第一の被覆ウェア及び前記第二の被覆ウェアは、人体の腰部及び両下肢を包む下半身用の被覆ウェア、人体の腹部及び両上肢を含む上半身用の被覆ウェア、人体の片足を包む片下肢用の被覆ウェア、人体の片手を包む片上肢用の被覆ウェア等、種々の被覆ウェアが利用できる。そして、これ等の種々のタイプの被覆ウェアは、複数を同時に使用することができるのである。
【００２３】
そして、前記第一の被覆ウェア及び前記第二の被覆ウェアは、ポリエチレン、ポリプロピレン、ポリ塩化ビニリデン、ポリスチレン、ポリ酢酸ビニル、ポリ塩化ビニル、ナイロン、またはポリテトラフルオロエチレン、織布または不織布の中の何れか一つまたは複数の組み合わせにより形成される。また、前記第一の被覆ウェア及び前記第二の被覆ウェアは、その開口部に紐または面ファスナーの締め付け手段が取り付けられており、これにより、炭酸ガスと水蒸気の混合ガス及び圧縮空気の大気中への放散を防止しているのである。
【００２４】
前記第一の被覆ウェア及び前記第二の被覆ウェアに設けられた、前記炭酸ガス供給手段からの混合ガスと前記圧縮空気供給手段からの圧縮空気を受け入れるための各接続器は、タップが形成された捻じ込み式の接続器または嵌め込み式の接続器とする。
【発明の効果】
【００２５】
本発明によれば、炭酸ガスと水蒸気の混合ガスを充填した内側被覆ウェアを、外側被覆ウェア内に充填した圧縮空気により加圧することによって、少量の炭酸ガスでも皮膚から効率よく吸収させることが可能となる。
【００２６】
また、内側被覆ウェアと外側被覆ウェアを別個に形成することにより、その製造工程の簡素化と製造コストの削減を図ることができる。
【発明を実施するための最良の形態】
【００２７】
以下、本発明の実施の形態について、図面を参照しながら詳細に説明する。
【００２８】
〔第１の実施形態〕
図１は、本発明の第１の実施形態に係る炭酸ガス圧浴装置（下半身用）の全体模式図である。また、図２は内側被覆ウェア及び外側被覆ウェアの構造をそれぞれ示す模式図であり、図２（ａ）は内側被覆ウェアを、図２（ｂ）は外側被覆ウェアを示している。さらに、図３は被覆ウェアの断面と人体の皮膚との接触関係を示す要部拡大図、図４は炭酸ガス供給装置の模式図である。
【００２９】
本実施形態に係る炭酸ガス圧浴装置は、図１に示すように、炭酸ガスを水蒸気に含ませた状態で供給する炭酸ガス供給装置１と、圧縮空気を供給するコンプレッサ２と、人体（ここでは例として下半身）を覆い、炭酸ガスと水蒸気の混合ガスを充満させてその部位の皮膚にこの混合ガスを接触、吸収させる内側被覆ウェア３Ａと圧縮空気を充満させることにより内側被覆ウェア３Ａ内の混合ガスを加圧する外側被覆ウェア３Ｂとからなる被覆ウェア３と、炭酸ガス供給装置１と内側被覆ウェア３Ａとを接続し内側被覆ウェア３Ａ内に炭酸ガスと水蒸気の混合ガスを供給する接続器としてのホース６と、コンプレッサ２と外側被覆ウェア３Ｂとを接続し外側被覆ウェア３Ｂ内に圧縮空気を供給する接続器としてのホース７と、から構成される。
【００３０】
被覆ウェア３は、上述したように人体（ここでは下半身）を覆い包む形状をしており、内側被覆ウェア３Ａと外側被覆ウェア３Ｂからなる。この内側被覆ウェア３Ａと外側被覆ウェア３Ｂは、図２に示す通りそれぞれ別個に形成されており、使用の際は内側被覆ウェア３Ａ、次いで外側被覆ウェア３Ｂの順に着用する。外側被覆ウェア３Ｂは内側被覆ウェア３Ａより若干大きく形成されている。なお、内側被覆ウェア３Ａには、着脱のための開口部に炭酸ガスと水蒸気の混合ガスの漏出を防ぐ止着部８Ａが設けられている。また、外側被覆ウェア３Ｂにも同様に、着脱のための開口部に圧縮空気の漏出を防ぐ止着部８Ｂが設けられている。
【００３１】
これらの内側被覆ウェア３Ａ、外側被覆ウェア３Ｂを順に着用することにより、被覆ウェア３内は二層構造となる。そして、上述の止着部８Ａ、８Ｂにより被覆ウェア３内は密閉され、内側被覆ウェア３Ａ内には炭酸ガス供給装置１からの炭酸ガスと水蒸気の混合ガスが、外側被覆ウェア３Ｂ内にはコンプレッサ２からの圧縮空気が、それぞれホース６、７を介して供給される。これにより図３に示すように、内側被覆ウェア３Ａと皮膚９の間には炭酸ガスと水蒸気の混合ガス層４が、また、内側被覆ウェア３Ａと外側被覆ウェア３Ｂの間には圧縮空気からなる加圧層５が形成される。加圧層５は、炭酸ガスと水蒸気の混合ガス層４を外側から皮膚９に向かって加圧し、皮膚９からの炭酸ガスの吸収を促進させる。
【００３２】
被覆ウェア３に設けられた止着部８Ａ，８Ｂは、伸縮性があり体にフィットする素材から構成され、例えば面ファスナーにより使用者の体型に合わせた位置で止着して、被覆ウェア３内を密閉する。なお、止着部８Ａ，８Ｂの止着手段は、面ファスナーのほか、紐やゴム、あるいはそれらの組み合わせを用いても良い。また、空気圧による締め付けで止着できる構造としても良い。
【００３３】
被覆ウェア３は非通気性素材（例えば、ポリエチレン、ポリプロピレン、ポリ塩化ビニリデン、ポリスチレン、ポリ酢酸ビニル、ポリ塩化ビニル、ナイロン、ポリテトラフルオロエチレン、織布または不織布の中の何れか一つまたは複数の組み合わせ等）から成る。
【００３４】
なお、図２（ａ）に示すように内側被覆ウェア３Ａには、一方端が炭酸ガス供給装置１に接続されたホース６の他端を接続するためのコネクタ６ａが設けられている。また、図２（ｂ）に示すように、外側被覆ウェア３Ｂにも、一方端がコンプレッサ２に接続されたホース７の他端を接続するためのコネクタ７ａが設けられている。さらに、外側被覆ウェア３Ｂには、ホース６を外側被覆ウェア３Ｂの外側から内側へ貫通させると共に、ホース６を所定位置に固定した上で外側被覆ウェア３Ｂ内の圧縮空気が漏出しないよう外側被覆ウェア３Ｂ内を密閉する貫通コネクタ６ｂが設けられている。この貫通コネクタ６ｂは、管継手に用いられるような構造を有しても良いし、単にゴムや紐あるいはそれらの組み合わせで外側被覆ウェア３Ｂ内を封止するものであっても良い。要はホース６を内側被覆ウェア３Ａへ通すと共に外側被覆ウェア３Ｂ内を密封できる構造であれば、どのような構造、素材を採用しても良い。なお、ホース６、７の端部にはそれぞれタップが形成されており、捻じ込み式または嵌め込み式でコネクタ６ａ，７ａに接続が可能である。また、ホース６、７の内部にはガスの逆流を防ぐための逆止弁が設けられている。
【００３５】
炭酸ガス供給装置１は、図４に示すように、温水中に炭酸ガスを放出することにより炭酸ガスと水蒸気の混合ガスを得る装置である。この炭酸ガス供給装置１は、温水１９を注入する温水注入口１２と、温水注入口１２から注入された温水１９を貯水する貯水タンク１３と、炭酸ガスボンベ１７を開栓するための針が内部に設けられ、貯水タンク１３内の温水１９中に炭酸ガス１８を放出させる炭酸ガス挿入部１４と、温水１９に炭酸ガス１８が放出されることで発生する炭酸ガスと水蒸気の混合ガス２０を取り出すための混合ガス供給口１５と、炭酸ガスボンベ１７を固定すると共に炭酸ガスボンベ１７を炭酸ガス挿入部１４に押し当てるためのキャップ１６と、から構成される。
【００３６】
そこでまず、温水注入口１２から貯水タンク１３内に摂氏４０度から７０度程度の温水１９を注入する。次いで、炭酸ガス挿入部１４に炭酸ガスボンベ１７を挿入する。キャップ１６を締めることにより炭酸ガスボンベ１７は押し下げられ、キャップ１６を完全に締めると炭酸ガスボンベ１７は炭酸ガス挿入部１４内に設けられた針により開栓される。すると、炭酸ガス１８が勢いよく温水１９中に放出される。これにより炭酸ガスと水蒸気の混合ガス２０が発生し、混合ガス供給口１５からホース６を介して内側被覆ウェア３Ａ内に供給される。
【００３７】
ここで、上記したように、炭酸ガスは皮膚から浸透して血管を拡張して血行を促進させる生理作用を有するものであるが、本炭酸ガス圧浴装置においては、さらに、温水注入口１２から貯水タンク１３内に注入する温水１９中に、メンソール等の清涼作用を生じさせる薬剤、血行をより促進させるビタミンＥ、美肌効果のあるビタミンＣ、皮膚表面に付着している細菌等を消毒する薬剤（例えば光触媒とアパタイトの複合体）、又はこれらの薬剤等の薬理効果を強化させることができるシクロデキストリン等を入れて、炭酸ガスによる生理作用との相乗的生理効果を生じさせることも可能である。
【００３８】
なお、炭酸ガス供給装置１の構成は上記に限定せず、例えばここではカートリッジ式の小型の炭酸ガスボンベ１７を例として用いたが、これに代えて業務用の大型ガスボンベ等にバルブを介して接続するようにしても良い。
【００３９】
コンプレッサ２は被覆ウェア３の加圧層５に圧縮空気を供給する。このとき供給される圧縮空気の空気圧は、１．２〜２．５気圧程度とする。なお、コンプレッサ２からの圧縮空気による加圧は常時行われるようにしても良いが、所定時間毎に加圧及び減圧を繰り返すインターバルの加圧により効果をさらに高めることができる。この際のインターバル間隔は、数秒乃至数十秒間隔するのが良い。
【００４０】
コンプレッサ２として好ましくは圧縮空気ボンベを用いるが、このほか家庭で簡便に用いるのであれば例えば家庭用布団乾燥機等を用いても良い。また、コンプレッサ２はヒータにより温風または冷風を供給できるものであるのが好ましい。
【００４１】
なお、上記実施形態では下半身のみを対象としていたが、被覆ウェアの形状を変えることにより様々な部位の炭酸ガス圧浴が可能になる。
【００４２】
〔第２の実施形態〕
図５は、本発明の第２の実施形態に係る炭酸ガス圧浴装置(上半身用)の模式図である。
【００４３】
ここでは、上半身の炭酸ガス圧浴を目的とする炭酸ガス圧浴装置について説明する。なお、図５において図１と同一の構成を有する部分には同じ符号を付して説明を省略する。
【００４４】
図５において被覆ウェア３０は、内側被覆ウェア３０Ａと外側被覆ウェア３０Ｂから構成される。この内側被覆ウェア３０Ａと外側被覆ウェア３０Ｂはそれぞれ別個に形成されており、使用の際は内側被覆ウェア３０Ａ、次いで外側被覆ウェア３０Ｂの順に着用する。外側被覆ウェア３０Ｂは内側被覆ウェア３０Ａより若干大きく形成されている。そして内側被覆ウェア３０Ａ内には炭酸ガス供給装置１から炭酸ガスと水蒸気の混合ガスが供給され、次いで外側被覆ウェア３０Ｂ内にはコンプレッサ２から圧縮空気が供給される。これにより内側被覆ウェア３０Ａと皮膚の間には炭酸ガスと水蒸気の混合ガス層３１が、また内側被覆ウェア３０Ａと外側被覆ウェア３０Ｂの間には圧縮空気からなる加圧層３２が形成される。加圧層３２は、炭酸ガスと水蒸気の混合ガス層３１を外側から皮膚に向かって加圧し、皮膚からの炭酸ガスの吸収を促進させる。
【００４５】
図５に示すように、本実施形態では被覆ウェア３０が上半身全体を覆い包む形状をしている。腰部の開口には内側被覆ウェア３０Ａと外側被覆ウェア３０Ｂのそれぞれに止着部３３（３３Ａ，３３Ｂ）が設けられ、使用者の体型に合わせた位置で体にフィットするように止着してガスの漏出を防ぐ。また、首部の開口にも着脱を容易にすると共にガスの漏出を防ぐ止着部３４（３４Ａ，３４Ｂ）を設ける。これらの止着部３３，３４はそれぞれ、面ファスナーのほか、紐、ゴム、あるいはそれらの組み合わせにより構成するのが好ましい。また、空気圧による締め付けで止着できる構造としても良い。
【００４６】
〔第３の実施形態〕
図６は、本発明の第３の実施形態に係る炭酸ガス圧浴装置(片下肢用)の模式図である。
【００４７】
ここでは、片下肢の炭酸ガス圧浴を目的とする炭酸ガス圧浴装置について説明する。なお、図６において図１と同一の構成を有する部分には同じ符号を付して説明を省略する。
【００４８】
図６において被覆ウェア４０は、内側被覆ウェア４０Ａと外側被覆ウェア４０Ｂから構成される。この内側被覆ウェア４０Ａと外側被覆ウェア４０Ｂはそれぞれ別個に形成されており、使用の際は内側被覆ウェア４０Ａ、次いで外側被覆ウェア４０Ｂの順に着用する。外側被覆ウェア４０Ｂは内側被覆ウェア４０Ａより若干大きく形成されている。そして内側被覆ウェア４０Ａ内には炭酸ガス供給装置１から炭酸ガスと水蒸気の混合ガスが供給され、次いで外側被覆ウェア４０Ｂ内にはコンプレッサ２から圧縮空気が供給される。これにより内側被覆ウェア４０Ａと皮膚の間には炭酸ガスと水蒸気の混合ガス層４１が、また内側被覆ウェア４０Ａと外側被覆ウェア４０Ｂの間には圧縮空気からなる加圧層４２が形成される。加圧層４２は、炭酸ガスと水蒸気の混合ガス層４１を外側から皮膚に向かって加圧し、皮膚からの炭酸ガスの吸収を促進させる。
【００４９】
図６に示すように、本実施形態では被覆ウェア４０が片下肢を覆い包む形状をしている。太腿部の開口には内側被覆ウェア４０Ａと外側被覆ウェア４０Ｂのそれぞれに止着部４３（４３Ａ，４３Ｂ）が設けられ、使用者の体型に合わせた位置で体にフィットするように止着してガスの漏出を防ぐ。この止着部４３は面ファスナーのほか、紐、ゴム、あるいはそれらの組み合わせにより構成するのが好ましい。また、空気圧による締め付けで止着できる構造としても良い。
【００５０】
〔第４の実施形態〕
図７は、本発明の第４の実施形態に係る炭酸ガス圧浴装置(片上肢用)の模式図である。
【００５１】
ここでは、片上肢の炭酸ガス圧浴を目的とする炭酸ガス圧浴装置について説明する。なお、図７において図１と同一の構成を有する部分には同じ符号を付して説明を省略する。
【００５２】
図７において被覆ウェア５０は、内側被覆ウェア５０Ａと外側被覆ウェア５０Ｂから構成される。この内側被覆ウェア５０Ａと外側被覆ウェア５０Ｂはそれぞれ別個に形成されており、使用の際は内側被覆ウェア５０Ａ、次いで外側被覆ウェア５０Ｂの順に着用する。外側被覆ウェア５０Ｂは内側被覆ウェア５０Ａより若干大きく形成されている。そして内側被覆ウェア５０Ａ内には炭酸ガス供給装置１から炭酸ガスと水蒸気の混合ガスが供給され、次いで外側被覆ウェア５０Ｂ内にはコンプレッサ２から圧縮空気が供給される。これにより内側被覆ウェア５０Ａと皮膚の間には炭酸ガスと水蒸気の混合ガス層５１が、また内側被覆ウェア５０Ａと外側被覆ウェア５０Ｂの間には圧縮空気からなる加圧層５２が形成される。加圧層５２は、炭酸ガスと水蒸気の混合ガス層５１を外側から皮膚に向かって加圧し、皮膚からの炭酸ガスの吸収を促進させる。
【００５３】
図７に示すように、本実施形態では被覆ウェア５０が片上肢を覆い包む形状をしている。上腕部の開口には内側被覆ウェア５０Ａと外側被覆ウェア５０Ｂのそれぞれに止着部５３（５３Ａ，５３Ｂ）が設けられ、使用者の体型に合わせた位置で体にフィットするように止着してガスの漏出を防ぐ。この止着部５３は面ファスナーのほか、紐、ゴム、あるいはそれらの組み合わせにより構成するのが好ましい。また、空気圧による締め付けで止着できる構造としても良い。
【００５４】
なお、図７（ａ）においては圧縮空気供給手段として他の実施形態と同様にコンプレッサ２を配置したが、図７（ｂ）ではこれに代えて手動の空気圧器として、袋状の送気球５４を配置している。この送気球５４、例えば手動式血圧計の加圧用送気球と同様の構成とする。ゴム等からなり、手動で加圧層５２内に送気して簡単に加圧することができる。
【００５５】
〔第５の実施形態〕
図８は、本発明の第５の実施形態に係る炭酸ガス圧浴装置の模式図である。
【００５６】
この実施形態では、被覆ウェアの加圧層の外側に、圧力を調整するためのフレームを設けている。なお、図８において図１と同一の構成を有する部分には同じ符号を付して説明を省略する。
【００５７】
図８において被覆ウェア６０は、内側被覆ウェア６０Ａと外側被覆ウェア６０Ｂから構成される。この内側被覆ウェア６０Ａと外側被覆ウェア６０Ｂはそれぞれ別個に形成されており、使用の際は内側被覆ウェア６０Ａ、次いで外側被覆ウェア６０Ｂの順に着用する。外側被覆ウェア６０Ｂは内側被覆ウェア６０Ａより若干大きく形成されている。また、外側被覆ウェア６０Ｂの外側表面には、圧力調整のためのフレーム６４が設けられている。内側被覆ウェア６０Ａ内には炭酸ガス供給装置１から炭酸ガスと水蒸気の混合ガスが供給され、次いで外側被覆ウェア６０Ｂ内にはコンプレッサ２から圧縮空気が供給される。これにより内側被覆ウェア６０Ａと皮膚の間には炭酸ガスと水蒸気の混合ガス層６１が、また内側被覆ウェア６０Ａと外側被覆ウェア６０Ｂの間には圧縮空気からなる加圧層６２が形成される。加圧層６２は、炭酸ガスと水蒸気の混合ガス層６１を外側から皮膚に向かって加圧し、皮膚からの炭酸ガスの吸収を促進させる。
【００５８】
図８に示すように、被覆ウェア６０の開口には内側被覆ウェア６０Ａと外側被覆ウェア６０Ｂのそれぞれに止着部６３（６３Ａ，６３Ｂ）が設けられ、使用者の体型に合わせた位置で体にフィットするように止着してガスの漏出を防ぐ。
【００５９】
ここで、フレーム６４は、例えばナイロン樹脂等からなり、外側被覆ウェア６０Ｂの外側に環状もしくはスパイラル状に巻きつけられて固着される構成とする。また、図８に示すように片下肢用ならば、太腿から足首へ行くほどフレーム６４の環あるいはスパイラルの半径が小さくなる等、フレーム６４は体の概略形状に合わせて形成されている。それにより、加圧層６２の圧力が外側に向かうのを防ぎ、また、体の概略形状に合わせて均一に加圧することができるため、皮膚への炭酸ガスの吸収効率をさらに向上させることができる。
【００６０】
なお、ここまでの実施形態は炭酸ガス圧浴を行う対象を人体として説明してきたが、本発明はこれに限らず動物をその対象としても良い。以下、動物を対象とした場合の実施形態について説明する。
【００６１】
〔第６の実施形態〕
図９は、本発明の第６の実施形態に係る炭酸ガス圧浴装置の模式図である。ここでは、炭酸ガス圧浴の対象となる動物として馬を例に挙げて説明する。なお、図９において図１と同一の構成を有する部分には同じ符号を付して説明を省略する。
【００６２】
図９において被覆ウェア７０は、内側被覆ウェア７０Ａと外側被覆ウェア７０Ｂから構成される。この内側被覆ウェア７０Ａと外側被覆ウェア７０Ｂはそれぞれ別個に形成されており、使用の際は内側被覆ウェア７０Ａ、次いで外側被覆ウェア７０Ｂの順に装着させる。外側被覆ウェア７０Ｂは内側被覆ウェア７０Ａより若干大きく形成されている。そして内側被覆ウェア７０Ａ内には炭酸ガス供給装置１から炭酸ガスと水蒸気の混合ガスが供給され、次いで外側被覆ウェア７０Ｂ内にはコンプレッサ２から圧縮空気が供給される。これにより内側被覆ウェア７０Ａと馬の皮膚の間には炭酸ガスと水蒸気の混合ガス層３１が、また内側被覆ウェア７０Ａと外側被覆ウェア７０Ｂの間には圧縮空気からなる加圧層７２が形成される。加圧層７２は、炭酸ガスと水蒸気の混合ガス層７１を外側から皮膚に向かって加圧し、馬の皮膚からの炭酸ガスの吸収を促進させる。
【００６３】
図９に示すように、本実施形態では被覆ウェア７０が馬の後足全体を覆い包む形状をしている。股下部の開口には内側被覆ウェア７０Ａと外側被覆ウェア７０Ｂのそれぞれに止着部７３（７３Ａ，７３Ｂ）が設けられ、体型に合わせた位置で体にフィットするように止着してガスの漏出を防ぐ。これらの止着部７３はそれぞれ、面ファスナーのほか、紐、ゴム、あるいはそれらの組み合わせにより構成するのが好ましい。また、空気圧による締め付けで止着できる構造としても良い。
【００６４】
このように、本発明の炭酸ガス圧浴装置は人体だけでなく動物（例えば競走馬やペット等）にも適用可能である。
【００６５】
以上のように、本発明の炭酸ガス圧浴装置によれば、加圧により少量の炭酸ガスでも生体の皮膚から効率よく吸収させることができることに加え、被覆ウェアの構造が単純であり、その製造工程の簡素化と製造コストの削減を図ることができる。
【００６６】
以上、本発明の実施形態について説明したが、本発明は上記実施形態に限定されるものではなく、本発明の趣旨に基づき種々の変形が可能であり、これらを本発明の範囲から排除するものではない。
【産業上の利用可能性】
【００６７】
本発明は、炭酸ガスを生体の皮膚に直接に接触させることにより血管を拡張させ血液循環を改善させるための炭酸ガス圧浴装置に関するものであり、特に、炭酸ガスを圧縮空気により所定の圧力値以上で生体の皮膚に接触させることにより皮膚からの炭酸ガスの吸収効率を向上させた炭酸ガス圧浴装置に関するものであり、産業上の利用可能性を有する。
【図面の簡単な説明】
【００６８】
【図１】本発明の第１の実施形態に係る炭酸ガス圧浴装置（下半身用）の全体模式図である。
【図２】本発明の第１の実施形態に係る炭酸ガス圧浴装置（下半身用）の内側被覆ウェア及び外側被覆ウェアの構造をそれぞれ示す模式図である。
【図３】本発明の第１の実施形態に係る炭酸ガス圧浴装置の被覆ウェアの断面と皮膚との接触関係を示す要部拡大図である。
【図４】本発明の第１の実施形態に係る炭酸ガス圧浴装置の炭酸ガス供給装置の模式図である。
【図５】本発明の第２の実施形態に係る炭酸ガス圧浴装置(上半身用)の模式図である。
【図６】本発明の第３の実施形態に係る炭酸ガス圧浴装置(片下肢用)の模式図である。
【図７】本発明の第４の実施形態に係る炭酸ガス圧浴装置(片上肢用)の模式図である。
【図８】本発明の第５の実施形態に係る炭酸ガス圧浴装置（フレーム付）の模式図である。
【図９】本発明の第６の実施形態に係る炭酸ガス圧浴装置（馬用）の模式図である。
【符号の説明】
【００６９】
１  炭酸ガス供給装置
２  コンプレッサ
３、３０、４０、５０、６０、７０  被覆ウェア
３Ａ、３０Ａ、４０Ａ、５０Ａ、６０Ａ、７０Ａ  内側被覆ウェア
３Ｂ、３０Ｂ、４０Ｂ、５０Ｂ、６０Ｂ、７０Ｂ  外側被覆ウェア
４、３１、４１、５１、６１、７１  炭酸ガスと水蒸気の混合ガス層
５、３２、４２、５２、６２、７２  加圧層
６、７  ホース
６ａ、７ａ  コネクタ
６ｂ  貫通コネクタ
８Ａ、８Ｂ、３３、３３Ａ、３３Ｂ、３４、３４Ａ、３４Ｂ、４３、４３Ａ、４３Ｂ、５３、５３Ａ、５３Ｂ、６３、６３Ａ、６３Ｂ、７３、７３Ａ、７３Ｂ  止着部
９  皮膚
１２  温水注入口
１３  貯水タンク
１４  炭酸ガス挿入部
１５  混合ガス供給口
１６  キャップ
１７  炭酸ガスボンベ
１８  炭酸ガス
１９  温水
２０  炭酸ガスと水蒸気の混合ガス
５４  送気球
６４  フレーム
【図１】
0005099838.tif 000002
【図２】
0005099838.tif 000003
【図３】
0005099838.tif 000004
【図４】
0005099838.tif 000005
【図５】
0005099838.tif 000006
【図６】
0005099838.tif 000007
【図７】
0005099838.tif 000008
【図８】
0005099838.tif 000009
【図９】
0005099838.tif 000010